(57)【特許請求の範囲】
【請求項１】
遊技の進行を司る主制御基板と、
遊技機前方に音を出力するよう複数配置されるスピーカと、
遊技の結果に影響を及ぼす不正を検出する不正検出手段と、
前記不正検出手段により不正が検出されると少なくともスピーカを用いて報知する不正報知手段と、
を備えた遊技機において、
前記スピーカに設けられた振動板が押圧されたことを検出するための押圧検出手段を設け、
該押圧検出手段は、前記振動板が押圧されることにより共に移動する導通部１と、
正常に音を出力している前記振動板の振動では前記導通部１とは接触せず、前記振動板が押圧により所定距離移動すると接触する位置に配置された導通部２とを備え、
前記導通部１と前記導通部２の接触が検出されることで押圧を検出し、
前記押圧検出手段により押圧が検出されると異常であることを報知する異常報知手段を備えたことを特徴とした遊技機。
【請求項２】
遊技の進行を司る主制御基板と、
遊技機前方に音を出力するよう複数配置されるスピーカと、
遊技の結果に影響を及ぼす不正を検出する不正検出手段と、
前記不正検出手段により不正が検出されると少なくともスピーカを用いて報知する不正報知手段と、
を備えた遊技機において、
前記スピーカに設けられた振動板が押圧されたことを検出するための押圧検出手段を設け、
該押圧検出手段は光センサにより発せられる検出光線を反射するための反射板と、
該反射板により反射された検出光線を受光する光センサに設けた受光部とで構成され、
前記反射板は前記振動板の正常な音出力の振動の振幅以上に押し込まれることで検出光線を反射できない位置に移動されるよう設定され、
前記受光部により検出光線が検出できなくなることで押圧を検出し、
前記押圧検出手段により押圧が検出されると異常であることを報知する異常報知手段を備えたことを特徴とした遊技機。
【請求項３】
前記押圧検出手段は、前記主制御基板に接続され、
所定以上の押圧が前記振動板にかかることで異常報知するとともに、
遊技の結果に係わる機能を停止することを特徴とした請求項１又は２記載の遊技機。
【発明の詳細な説明】
【技術分野】
【０００１】
本発明はスピーカを破壊する不正を検出する機能を備えた遊技機に関する。
【背景技術】
【０００２】
パチンコ遊技機には始動口に遊技球が入賞すると所定の確率で大当り状態に移行するデジパチタイプの遊技機や、入賞装置内に特定の入賞口を設けて、その特定の入賞口に遊技球が入賞することにより大当り状態へ移行する羽根物タイプの遊技機があり、近年これらの複合タイプも現れてきている。
【０００３】
ところで、これらの遊技機は、どついて振動させることにより遊技球の動きに変化を与えたり、磁石を用いて遊技球を入賞口などに誘導する等不正な行為を働き、不正に遊技球を取得するいわゆるゴト行為が行われており、防止策として不正を検出しスピーカやＬＥＤ等で報知するようにしている。（例えば特許文献１）
【０００４】
【特許文献１】特開２００６-２８８５３８号公報
【発明の開示】
【発明が解決しようとする課題】
【０００５】
しかし特許文献１のような機能を有していても、スピーカの振動板を先のとがった細いもので刺し込み、穴を開けてスピーカから音が出力されなくされてからゴト行為が行われている。この場合ＬＥＤ等の発光のみで報知されるため気づきにくくゴト行為が行われやすくなってしまうという問題が発生している。
【０００６】
本発明の目的は、スピーカへの破壊行為を早急に検出し不正に遊技球を取得されることを防止することである。
【課題を解決するための手段】
【０００７】
上記課題を解決するために請求項１記載の遊技機は、遊技の進行を司る主制御基板と、
遊技機前方に音を出力するよう複数配置されるスピーカと、
遊技の結果に影響を及ぼす不正を検出する不正検出手段と、
前記不正検出手段により不正が検出されると少なくともスピーカを用いて報知する不正報知手段と、
を備えた遊技機において、
前記スピーカに設けられた振動板が押圧されたことを検出するための押圧検出手段を設け、
該押圧検出手段は、前記振動板が押圧されることにより共に移動する導通部１と、
正常に音を出力している前記振動板の振動では前記導通部１とは接触せず、前記振動板が押圧により所定距離移動すると接触する位置に配置された導通部２とを備え、
前記導通部１と前記導通部２の接触が検出されることで押圧を検出し、
前記押圧検出手段により押圧が検出されると異常であることを報知する異常報知手段を備えたことを特徴とした遊技機である。
【０００８】
異常報知手段は、スピーカで報知するのが好ましく、1つのスピーカが破壊されても複数あるため、破壊されていないスピーカで報知することができ、気づかれずにスピーカを破壊することは困難である。液晶表示装置やＬＥＤ等で不正内容の表示や発光による報知も加えると更に良い。
【０００９】
遊技の結果に影響を及ぼす不正とは、磁石やどつき等の行為を行うことで遊技球を獲得することである。
【００１０】
所定以上の押圧とは、振動板が正常な音出力の振動の振幅以上に押し込まれることである。
【００１２】
所定距離とはスピーカの音出力にかかる振動では導通部１と導通部２が接触しないあらかじめ定めた所定以上の距離である。
【００１３】
上記課題を解決するために請求項２記載の遊技機は、遊技の進行を司る主制御基板と、
遊技機前方に音を出力するよう複数配置されるスピーカと、
遊技の結果に影響を及ぼす不正を検出する不正検出手段と、
前記不正検出手段により不正が検出されると少なくともスピーカを用いて報知する不正報知手段と、
を備えた遊技機において、
前記スピーカに設けられた振動板が押圧されたことを検出するための押圧検出手段を設け、
該押圧検出手段は光センサにより発せられる検出光線を反射するための反射板と、
該反射板により反射された検出光線を受光する光センサに設けた受光部とで構成され、
前記反射板は前記振動板の正常な音出力の振動の振幅以上に押し込まれることで検出光線を反射できない位置に移動されるよう設定され、
前記受光部により検出光線が検出できなくなることで押圧を検出し、
前記押圧検出手段により押圧が検出されると異常であることを報知する異常報知手段を備えたことを特徴とした遊技機である。
【００１４】
上記課題を解決するために請求項３記載の遊技機は、前記押圧検出手段は、前記主制御基板に接続され、
所定以上の押圧が前記振動板にかかることで異常報知するとともに、
遊技の結果に係わる機能を停止することを特徴とした請求項１又は２記載の遊技機である。
【００１５】
遊技の結果に係わる機能とは、遊技球の発射や始動口等への入賞の検出、賞球の払出しなどの利益を得るために必要な機能のことである。
【発明の効果】
【００１６】
請求項１に記載の発明によれば、振動板を突き破ろうとすると、スピーカ内の導通部１，２が接触するのでスピーカ破壊を検出する事ができ、異常報知するのでスピーカ破壊行為を防ぐ事ができる。
【００１８】
請求項２に記載の発明によれば、振動板を突き破ろうとすると、スピーカ内に設けた光センサにより所定以上の押圧であることを検出するのでスピーカ破壊を検出する事ができる。
【００１９】
請求項３に記載の発明によれば、前記押圧検出手段を遊技の進行を司る主制御基板に接続したので、押圧検出手段がスピーカ破壊行為を検出すると賞球を止めたり発射を停止させたりできるため、例えすべてのスピーカを破壊されたとしても、不正に利益を得ることを防止する事ができる。
【発明を実施するための最良の形態】
【００２０】
次に、本発明の実施例等により発明の実施の形態を説明する。なお、本発明は下記の実施例等に限定されるものではなく、本発明の要旨を逸脱しない範囲でさまざまに実施できることは言うまでもない。
【００２１】
［第１実施例］
図１に示すのは、パチンコ機１の正面構造である。
縦長の外枠２に各部を保持する構造で、外枠２には内枠（図示せず）がヒンジ（図示せず）を介して開閉可能に取り付けられており、内枠に前面枠３が開閉可能に取り付けられている。
内枠には図２に記載する遊技盤１０が装着されており、前面枠３の中央には遊技盤１０を視認可能とするための板ガラス４が取り付けてある。
前面枠３の左右上部と外枠２の左右下部にはスピーカ５が備えられており、パチンコ機１から発生する遊技音や不正を検出したときに不正音を出力する。
前面枠３の下方には上皿６と下皿７が一体に設けられており、下皿７の右側には、遊技に使用する遊技球を発射操作させる発射ハンドル８が設けられている。
上皿６には演出ボタン９が備わっており、遊技者が操作することで、演出内容を変化したり、スピーカ５から音を出力させたりする。
【００２２】
本実施例におけるパチンコ機１の裏面構成は、公知技術にしたがっているため図示と説明は割愛する。
【００２３】
次に図２を用いて遊技盤１０について説明する。図２はパチンコ機１から取り外した状態の遊技盤１０を示す正面図である。遊技盤１０の外形はほぼ矩形であり、公知のガイドレール２５によって囲まれた略円形の遊技領域１１が設けられ、図示していないが多数の遊技釘が植設されている。
【００２４】
中央に羽根部１２が開放することにより遊技球を入賞可能とする遊技装置１３を備えている。この遊技装置１３は内部に特定の入賞口１４を備え、羽根部１２の開放に伴い入賞した遊技球が所定の確率で入賞するようになっており、入賞することで遊技者に有利な大当り状態に移行するようになっている。また遊技装置１３には特別図柄表示装置１５と普通図柄表示装置１６が設けられる。
【００２５】
遊技盤１０の下部には羽根部１２を開放させる第１始動口１７を２個と普通電動役物で構成される第２始動口１８を１個備え、第１始動口１７の上部には遊技球の流れを変化させる風車１９が備えられる。第２始動口１８の上部には普通図柄表示装置１６を変動表示させる普通図柄始動ゲート２０を備えており、変動表示の結果当選すると普通電動役物を駆動させ、第２始動口１８に入賞可能状態に変化させる。
【００２６】
また本実施例のパチンコ機１は遊技装置１３に演出図柄表示装置２１を備えており、第１始動口１７又は第２始動口１８に入賞すると特別図柄表示装置１５が変動表示し、小当りであれば羽根部１２を開放し、変動表示の結果が大当り又はハズレになる場合、演出図柄表示装置２１で図柄演出が繰り広げられ、結果が大当りである場合も遊技者に有利な大当り状態に移行するようになっている。
【００２７】
続いて、図３にパチンコ機１の電気配線を示すブロック図を示し、詳細に説明する。尚、図３には煩雑になる電源の供給系統に関する記載は行わないが、電源が必要な制御装置若しくはアクチュエータ類には図示しない電源装置から直接的又は間接的に供給される構成となっている。
【００２８】
図３に示す通り、主制御装置３０の入力端には、遊技盤中継端子板４０を介して磁力検知スイッチ４１と、第２始動口１８に入球した遊技球を検出する中始動口スイッチ１８ａと、左右の第１始動口１７に入球した遊技球を検出する左第１始動口スイッチ１７ａと、右第１始動口スイッチ１７ｂと、羽根部１２作動時に遊技装置１３に入球した遊技球を検出するカウントスイッチ１２ａ、１２ｂと、普通図柄始動ゲート２０を通過した遊技球を検出する普通図柄始動スイッチ２０ａと、特定入賞口１４に入賞した遊技球を検出する特定入賞口スイッチ１４ａが接続されており、裏配線中継端子板４２を介して前面枠３が閉鎖していることを検出する前面枠閉鎖スイッチ３ａと、内枠が閉鎖していることを検出する内枠閉鎖スイッチ４３と、上皿６の内部に備えられた振動検知スイッチ４４が接続され、図柄表示装置中継端子板４５を介して特別図柄を表示する特別図柄表示装置１５と、普通図柄を表示する普通図柄表示装置１６とが接続されている。尚、振動検知スイッチ４４が遊技盤１０に設置される場合は、遊技盤中継端子板４０を介して接続される。
【００２９】
また本実施例には搭載しないが、始動口１７，１８や普通図柄始動ゲート２０に入球した遊技球を所定数記憶できる構成にし、保留記憶表示部を設けて各記憶数を表示するようにしてもよい。
【００３０】
主制御装置３０の出力端には、遊技盤中継端子板４０を介して遊技装置１３の羽根部１２を駆動する大入賞口ソレノイド１２ｃと普通電動役物を駆動させる普通電動役物ソレノイド１８ｂが接続されており、裏配線中継端子板４２及び外部接続端子板４６を介してホールコンピュータ４７と、が接続されている。
【００３１】
主制御装置３０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置３１及びサブ統合制御装置３２に出力する。ここで、主制御装置３０と払出制御装置３１とは双方向通信回路として構成され、主制御装置３０とサブ統合制御装置３２とは間に演出中継端子板５８を介した主制御装置３０からサブ統合制御装置３２への一方向通信回路として構成されている。
【００３２】
払出制御装置３１の入力端には、裏配線中継端子板４２を介して公知の球タンク又はタンクレール内の遊技球が不足していることを検出する球切れスイッチ４８と、裏配線中継端子板４２及び払出中継端子板４９を介して払い出した遊技球を検出する払出スイッチ５０と、各種端子板を介することなく下皿７への経路に遊技球が多数あることを検出する満杯スイッチ５１と、が接続されている。払出制御装置３１の出力端には、裏配線中継端子板４２及び払出中継端子板４９を介して遊技球を上皿６へと払い出す払出モータ５２が接続されている。
【００３３】
払出制御装置３１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置３０から入力されるコマンドに基づいて遊技球の払い出しに関わる各種コマンド等を生成し、主制御装置３０及び発射制御装置３３に出力する。
ここで、払出制御装置３１と主制御装置３０とは双方向通信回路として構成され、払出制御装置３１と発射制御装置３３とは払出制御装置３１から発射制御装置３３への一方向通信回路として構成されている。
【００３４】
また、払出制御装置３１は、裏配線中継端子板４２及び外部接続端子板４６を介して賞球に関する情報などをホールコンピュータ４７に送信するほか、発射制御装置３３に対して発射停止信号を送信する。発射制御装置３３は発射モータ５３を制御して、遊技球を遊技領域１１に遊技球を発射させる。なお、発射制御装置３３には払出制御装置３１以外に発射ハンドル８からの回動量信号、タッチスイッチ５４からのタッチ信号、発射停止スイッチ５５から発射停止スイッチ信号が入力される。回動量信号は、遊技者が発射ハンドル８を操作することで出力され、タッチ信号は遊技者が発射ハンドル８を触ることで出力され、発射停止スイッチ信号は、遊技者が発射停止スイッチ５５を押すことで出力される。なお、タッチ信号が発射制御装置３３に入力されていなければ、遊技球は発射できないほか、発射停止スイッチ信号が入力されているときには、遊技者が発射ハンドル８を触っていても遊技球は発射できないようになっている。
【００３５】
サブ統合制御装置３２の入力端には、遊技者により操作可能な演出スイッチ９ａが接続されている。サブ統合制御装置３２の出力端には、前面枠３及び遊技盤１０に備えられる各種ＬＥＤ・ランプ５９と、前面枠３及び外枠２に備えられるスピーカ５と、が接続されている。
尚、サブ統合制御装置３２と主制御装置３０は間に演出中継端子板５８を介した主制御装置３０からサブ統合制御装置３２への一方向通信回路として構成され、サブ統合制御装置３２と演出図柄制御装置３４ａはサブ統合制御装置３２から演出図柄制御装置３４ａへの一方向通信回路として構成されている。
【００３６】
サブ統合制御装置３２はＣＰＵ、ＲＯＭ、ＲＡＭ等の電気部品を備えており、搭載するＲＯＭに記憶されたプログラムに従ってＣＰＵにて処理を実行し、入力される演出スイッチ９ａの入力ならびに主制御装置３０から入力されるコマンドに基づいて遊技に関わる各種コマンド等を生成し、演出図柄ユニット３４の演出図柄制御装置３４ａに出力する。
【００３７】
また、サブ統合制御装置３２には、音量を調節する音量調節スイッチ５６が備えられ、音量調節スイッチ５６の状態（位置）を検出し、その検出結果とスピーカ５へ送信する内容とを判断し、スピーカ５から出力する音量をソフト的に制御するように構成されている。
【００３８】
演出図柄制御装置３４ａは、サブ統合制御装置３２から受信したデータ及びコマンド（共に主制御装置３０から送信されてきたものとサブ統合制御装置３２が生成したものとがある）に基づいて演出図柄表示装置２１を制御して、各種演出表示、大当り中の遊技状態、エラー及び不正状況等を表示させる。
【００３９】
次に、本実施例における不正検知及び不正検知に基づく不正報知について説明する。本実施例では、パチンコ機１に磁力による不正行為を検知する磁力検知スイッチ４１と、振動による不正行為を検知する振動検知スイッチ４４が備えられた構成となっており、磁力と振動という２種類の外力を用いた不正行為が検知可能となる。無論これ以外に電波など他の遊技結果に影響させる不正を検出できるようにしても良い。
【００４０】
また、不正行為検知時には、不正行為の発生を遊技場のスタッフ等に知らせるための不正報知として、パチンコ遊技機１に備えられたスピーカ５から異常音を出力し、演出図柄表示装置２１に不正行為発生を知らせる表示を行う。加えて、外部接続端子板４６からも不正行為発生を知らせる信号が出力される。更に、不正行為発生を知らせる報知は、不正行為に磁力または振動のどちらの外力を用いたかによって異なり、報知内容によっていずれかの外力による不正行為が行われたか確認できる構成となっている。具体的には、磁力を検知した場合の報知は、スピーカ５からサイレン音を継続出力し、遊技装置１３の演出図柄表示装置２１には不正行為に対応したアイコンを所定時間表示する。尚、報知の内容は不正行為の内容が区別できる物であればよく、これに限ったものではない。
【００４１】
スピーカ５のコーン形振動板７７に穴を開けて不正報知を気づきにくくされる事があり、本実施例ではこの行為を防ぐためにスピーカ５に押圧検出スイッチ５７を備えている。次に本実施例における押圧検出スイッチ５７を備えたスピーカ５の構造について図４を用いて説明する。
【００４２】
図４は本実施例で使用しているスピーカ５の断面図であり、７１はマグネットが持つ吸着力を増幅するためのヨーク、７２はヨーク７１の上面に固着したプレート、７３はヨーク７１に固着したマグネット、７４はマグネット７３の上面に固着したセンターポール、７５はセンターポール７４の外周とヨーク７１の内周面で構成される磁気ギャップ中に保持されたボイスコイル、７６はボイスコイル７５のボビン、７７はボイスコイルボビン７６の先端に固着したコーン形振動板、７８はボイスコイルボビン７６の外周部に固着したダンパー、７９はコーン形振動板７７の外周部に設けた全周にわたり同一形状の凸エッジ、８０はダンパー７８及びエッジ７９の外周を固着しヨーク７１、プレート７２、マグネット７３及びセンターポール７４で構成される磁気回路を保持するフレームである。
上記構成において、ボイスコイル７５に電気信号が加えられるとボイスコイル７５に発生した駆動力はボイスコイルボビン７６に伝達され、その先端部に固着されたコーン形振動板７７を振動させる。
【００４３】
８１はボイスコイルボビン７６に固着されている円状の突出片である。図３でいう押圧検出スイッチ５７は突出片８１とプレート７２が該当するもので、突出片８１とプレート７２は導電性を有する材質で、二つの距離は正常に音を出力している振動では接触しない距離に配置してある。突出片８１は、ボイスコイル７５の配線に接触するといけないので、配線が通るところを空洞にするか絶縁材質のものを固着しておくと良い。
【００４４】
図５は破壊しようとしたときの断面図である。
スピーカ破壊は、アイスピック８２のような先が細長のものでコーン形振動板７７に強い力で刺し込む必要があり、コーン形振動板７７は、多少破れたくらいでは音の出力ができるため何度も刺し込む必要がある。
このため、あまり押し込まずに音を出力しなくするまでコーン形振動板７７に穴を開けるのは困難であり、スピーカ５のコーン形振動板７７に穴を開けようとアイスピック８２で刺し込もうとするとコーン形振動板７７に固着しているボイスコイルボビン７６が押し込まれ、ボイスコイルボビン７６に固着される突出片８１も押し込まれてプレート７２と接触することになる。
【００４５】
サブ統合制御装置３２は、突出片８１とプレート７２が接触することにより、導通を確認し、スピーカ５が破壊されようとしていることを検出する事ができる。
【００４６】
図６は破壊を検出するときのフローチャートである。
サブ統合制御装置３２は、押圧検出スイッチ５７がＯＮであるか確認する（Ｓ１）。ＯＮであれば（Ｓ１：ＹＥＳ）、演出図柄表示装置２１やＬＥＤ・ランプ５９、スピーカ５を制御して異常報知する（Ｓ２）。ＯＮでない場合（Ｓ１：ＮＯ）はそのままリターンする。
押圧検出スイッチＯＮとはサブ統合制御装置３２が突出片８１とプレート７２が接触し導通を確認したことである。
【００４７】
図７は演出図柄表示装置２１の異常報知を示した図である。
右上にスピーカ破壊を示すアイコン９１を表示することにより、異常報知を発見した場合に、何の異常かすぐに把握する事ができ、対処する事ができる。
【００４８】
以上のように、本実施例のようにすれば、スピーカ５を破壊しようとアイスピック８２のようなものでコーン形振動板７７を刺し込もうとすると突出片８１とプレート７２で構成される押圧検出スイッチ５７が導通するのでスピーカ破壊を検出する事ができ、それに付随して演出図柄表示装置やランプ、スピーカ５で異常報知するので、スピーカ５を全部破壊してどつきや磁石などの不正行為を気付かずに行われることを防ぐ事ができ、不正者を確実に発見できる。
【００４９】
本実施例では、押圧検出スイッチ５７として、ボイスコイルボビン７６に固着した検出片８１とプレート７２上の構成にしたが、コーン形振動板７７の下部とダンパー７８上部に検出板を設けてそれらが接触して検出する等方法はいろいろ考えられ、コーン形振動板７７が押されることにより導通し検出できる構成なら何でも良く、特に限定されない。
【００５０】
[第２実施例]   
次に第２実施例について図８〜図１２を用いて説明する。
【００５１】
第１実施例では、押圧検出スイッチ５７をサブ統合制御装置３２に接続したが、第２実施例では主制御装置３０に接続する構成である。また押圧検出スイッチ５７の構成として光センサ１１１を使用する。これ以外は第１実施例と略同様の構成である。そのため、第１実施例と同一部品には同一符号を付してその説明を省略し、異なる点について述べる。
【００５２】
図８は第２実施例のパチンコ機１の電気的構成である。押圧検出スイッチ５７は裏配線中継端子板４２を介して主制御装置３０に接続される。この構成によりスピーカ破壊を主制御装置３０が検出することができる。これ以外は実施例１と同じ構成のため、説明は割愛する。
【００５３】
図９は第２実施例におけるスピーカ５の断面図であり、１０１はプレート、１０２はプレート１０１と一体に構成されたマグネットが持つ吸着力を増幅するためのヨーク、１０３はプレート１０１に固着したマグネット、１０４はマグネット１０３の上面に固着したセンターポール、１０５はセンターポール１０４の外周とヨーク１０２の内周面で構成される磁気ギャップ中に保持されたボイスコイル、１０６はボイスコイル１０５のボビン、１０７はボイスコイルボビン１０６の先端に固着したコーン形振動板１０７、１０８はボイスコイルボビン１０６の外周部に固着したダンパー、１０９はコーン形振動板１０７の外周部に設けた全周にわたり同一形状の凸エッジ、１１０はダンパー１０８及びエッジ１０９の外周を固着しプレート１０１、ヨーク１０２、マグネット１０３及びセンターポール１０４で構成される磁気回路を保持するフレームである。上記構成において、ボイスコイル１０５に電気信号が加えられるとボイスコイル１０５に発生した駆動力はボイスコイルボビン１０６に伝達され、その先端部に固着されたコーン形振動板１０７を振動させる。
【００５４】
１１１は光センサであって、１１２は光センサ１１１から発せられる光を反射する反射板１１２である。１１３は光センサ１１１を取り付ける取付け台である。
【００５５】
光センサ１１１は反射板１１２に検出光線を反射させて光センサ１１１に設けた受光部により一定の強さの反射光線を検出しているうちは正常に感知する。反射板１１２は正常な音出力ではありえないと定められた振幅の大きさ以下に設定してあり、スピーカ破壊による外部的圧力が加わることにより、検出光線が反射板１１２の大きさをはみ出し一定の反射光線を検出できなくなるので、主制御装置３０はスピーカ破壊の検出することができる。
【００５６】
次に図１０は第２実施例における破壊を検出するときのフローチャートである。
主制御装置は、押圧検出スイッチ５７がＯＮであるか確認する（Ｓ１０）。ＯＮであれば（Ｓ１０：ｙｅｓ）、主制御装置３０は払出制御装置３１に払出を停止するよう払出停止コマンドを送信する（Ｓ１１）。そしてサブ統合制御装置３２に演出図柄表示装置２１、ＬＥＤ・ランプ５９やスピーカ５などにより異常報知するよう異常報知コマンドを送信する（Ｓ１２）。ＯＮでない場合（Ｓ１０：ＮＯ）はそのままリターンする。
【００５７】
押圧検出スイッチＯＮとは主制御装置３０が光センサ１１１の受光部が一定の強さの反射光線を受光していない状態のことである。
【００５８】
他にも図１１のように主制御装置３０が押圧検出スイッチ５７がＯＮであるか確認し（Ｓ２１）、ＯＮであれば（Ｓ２１：ｙｅｓ）、主制御装置３０は各始動口１７、１８や遊技装置１３などといった遊技球の入賞検出を停止する構成にしたり（Ｓ２２）、図１２のように主制御装置３０が押圧検出スイッチ５７がＯＮであるか確認し（Ｓ３１）、ＯＮであれば（Ｓ３１：ｙｅｓ）、主制御装置３０は発射停止コマンドを払出制御装置３１に送信し（Ｓ３２）、払出制御装置３１を介して発射を停止するよう制御する構成にしたりしてもよい。またこれらの構成を組み合わせても良い。
【００５９】
以上のように、本実施例のようにすれば、スピーカ５を破壊しようとアイスピック８２のようなものでコーンを刺し込まれると押圧検出スイッチ５７によりスピーカ破壊を検出する事ができ、それに付随して演出図柄表示装置２１やＬＥＤ・ランプ５９、音の出力可能なスピーカ５で異常報知するので、不正者を確実に発見できる。また、押圧検出スイッチ５７を遊技の進行に関わる各種コマンド等を生成している主制御装置３０に接続したので、賞球や遊技球の発射、入賞検出などの機能を停止させる事ができ、スピーカ５を破壊してから不正行為が行えなくなる。裏配線中継端子板４２及び外部接続端子板４６を介してホールコンピュータ４７に知らせることもできる。
【００６０】
本実施例では、振動方向と垂直に光センサ１１１と反射板１１２を設けたことで、押圧により光センサ１１１から発生された検出光線がボイスコイルボビン１０６に接着された反射板１１２から反射できない位置に移動するため反射光線によりスピーカ破壊を検出できる構成にしたが、光センサ１１１で押圧を検出できれば良くこれに限定されない。ボイスコイル１０５又はダンパー１０８の下面に反射板１１２の反射面を振動方向と垂直になるように接着し、振動方向の延長線上に光センサを設け、予め設定した音出力による振動により発生される反射光線より強くなるとスピーカ破壊と検出するやり方でも良く、光センサ１１１の機能を利用し検出できる様々な方法を用いる事ができる。
【図面の簡単な説明】
【００６１】
【図１】パチンコ機の正面図
【図２】遊技盤１０の正面図
【図３】パチンコ機の電気的構成を示すブロック図
【図４】スピーカの断面図
【図５】スピーカ破壊しようとしたときの断面図
【図６】スピーカ破壊を検出するときのフローチャート
【図７】演出図柄表示装置の異常報知を示した図
【図８】第２実施例のパチンコ機の電気的構成を示すブロック図
【図９】第２実施例におけるスピーカの断面図
【図１０】第２実施例における破壊を検出するときのフローチャート１
【図１１】第２実施例における破壊を検出するときのフローチャート２
【図１２】第２実施例における破壊を検出するときのフローチャート３
【符号の説明】
【００６２】
１    ：パチンコ機
５    ：スピーカ
１０  ：遊技盤
３０  ：主制御装置
３２  ：サブ統合制御装置
５７  ：押圧検出スイッチ
７７，１０７：コーン形振動板
８１  ：突出片
１１１：光センサ
１１２：反射板
【図１】
0005150827.tif 000002
【図２】
0005150827.tif 000003
【図３】
0005150827.tif 000004
【図４】
0005150827.tif 000005
【図５】
0005150827.tif 000006
【図６】
0005150827.tif 000007
【図７】
0005150827.tif 000008
【図８】
0005150827.tif 000009
【図９】
0005150827.tif 000010
【図１０】
0005150827.tif 000011
【図１１】
0005150827.tif 000012
【図１２】
0005150827.tif 000013